【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
車両用の第１ダクト及び第２ダクトのそれぞれの開口端部を接続する弾性材からなるダクト接続部材において、
前記第１ダクトの開口端部の外周面に装着される筒状の第１装着部と、該第１装着部と軸心方向に所定間隔をもって離間して設けられ且つ前記第２ダクトの開口端部の外周面に装着される筒状の第２装着部と、前記第１装着部及び前記第２装着部の互いに近接する側のそれぞれの基端部を連絡し且つ遠心方向に向って膨らむ縦断面半環状の連絡本体部と、を備え、
前記連絡本体部は、前記第１装着部の外周側に設けられ且つ該第１装着部の基端部から先端部に向って膨らむ縦断面形状が逆Ｕ字状の膨出部を有し、
前記連絡本体部は、該膨出部と、該膨出部の外周側の端部と前記第２装着部の基端部とを連絡する縦断面Ｌ字状の連絡部と、を有しており、
前記第２装着部の基端部には、求心方向に突出し且つ前記第２ダクトの先端部と当接する当接部が設けられていることを特徴とするダクト接続部材。
【請求項２】
前記膨出部が、前記第１装着部の基端部に連なり且つその基端部から先端部に向って拡径して延びる内周壁と、該内周壁の遠心側の端部に連なり且つその端部から遠心方向に延びる頂上壁と、該頂上壁の遠心側の端部に連なり且つその端部から該第１装着部の先端部から基端部に向って延びる外周壁と、を有しており、前記内周壁及び前記頂上壁の肉厚は、前記外周壁の肉厚より小さな値に設定されている請求項１記載のダクト接続部材。
【請求項３】
前記第１装着部の外周面には、弾性変形により拡縮可能なリング状部材が設けられている請求項１又は２に記載のダクト接続部材。
【請求項４】
前記第１ダクトがエアクリーナの出口部であり、前記第２ダクトがスロットルのハウジング部である請求項１乃至３のいずれか一項に記載のダクト接続部材。
【請求項５】
請求項１乃至４のいずれか一項に記載のダクト接続部材を用いるダクト接続構造であって、
前記第１装着部が、前記第１ダクトの開口端部の外周面に装着されており、前記第２装着部が、前記第２ダクトの開口端部の外周面に装着されていることを特徴とするダクト接続構造。
【手続補正２】
【補正対象書類名】明細書
【補正対象項目名】０００９
【補正方法】変更
【補正の内容】
【０００９】
本発明は、以下の通りである。
１．  車両用の第１ダクト及び第２ダクトのそれぞれの開口端部を接続する弾性材からなるダクト接続部材において、
前記第１ダクトの開口端部の外周面に装着される筒状の第１装着部と、該第１装着部と軸心方向に所定間隔をもって離間して設けられ且つ前記第２ダクトの開口端部の外周面に装着される筒状の第２装着部と、前記第１装着部及び前記第２装着部の互いに近接する側のそれぞれの基端部を連絡し且つ遠心方向に向って膨らむ縦断面半環状の連絡本体部と、を備え、
前記連絡本体部は、前記第１装着部の外周側に設けられ且つ該第１装着部の基端部から先端部に向って膨らむ縦断面形状が逆Ｕ字状の膨出部を有し、
前記連絡本体部は、該膨出部と、該膨出部の外周側の端部と前記第２装着部の基端部とを連絡する縦断面Ｌ字状の連絡部と、を有しており、
前記第２装着部の基端部には、求心方向に突出し且つ前記第２ダクトの先端部と当接する当接部が設けられていることを特徴とするダクト接続部材。
２．  前記膨出部が、前記第１装着部の基端部に連なり且つその基端部から先端部に向って拡径して延びる内周壁と、該内周壁の遠心側の端部に連なり且つその端部から遠心方向に延びる頂上壁と、該頂上壁の遠心側の端部に連なり且つその端部から該第１装着部の先端部から基端部に向って延びる外周壁と、を有しており、前記内周壁及び前記頂上壁の肉厚は、前記外周壁の肉厚より小さな値に設定されている上記１．記載のダクト接続部材。
３．  前記第１装着部の外周面には、弾性変形により拡縮可能なリング状部材が設けられている上記１．又は２．に記載のダクト接続部材。
４．  前記第１ダクトがエアクリーナの出口部であり、前記第２ダクトがスロットルのハウジング部である上記１．乃至３．のいずれか一項に記載のダクト接続部材。
５．  上記１．乃至４．のいずれか一項に記載のダクト接続部材を用いるダクト接続構造であって、
前記第１装着部が、前記第１ダクトの開口端部の外周面に装着されており、前記第２装着部が、前記第２ダクトの開口端部の外周面に装着されていることを特徴とするダクト接続構造。
【手続補正３】
【補正対象書類名】明細書
【補正対象項目名】００１０
【補正方法】変更
【補正の内容】
【００１０】
本発明のダクト接続部材によれば、第１装着部が、第１ダクトの開口端部の外周面に装着されると共に、第２装着部が、第２ダクトの開口端部の外周面に装着され、第１ダクト及び第２ダクトが良好な気密性をもって接続される。そして、接続されたダクトの軸心方向の振動、即ちダクトの縦方向のズレは、主に膨出部の軸心方向への弾性変形によって吸収される。また、接続されたダクトの軸心方向と直交する方向の振動、即ちダクトの横方向のズレは、主に膨出部の軸心方向と直交する方向への弾性変形によって吸収される。従って、接続されたダクトの縦方向及び横方向のズレを必要十分に吸収することができる。
また、前記膨出部の縦断面形状が逆Ｕ字状である場合は、膨出部をより弾性変形し易い構造とすることができ、ダクトの縦方向及び横方向の芯ズレをより良好に吸収できる。
また、前記膨出部が、内周壁と、頂上壁と、外周壁と、を有する場合は、さらに膨出部を弾性変形し易い構造とすることができる。
また、前記第１装着部の外周面には、弾性変形により拡縮可能なリング状部材が設けられている場合は、ダクトに対して第１装着部を圧入して装着することができ、組付作業性を向上させることができる。また、ダクトに対して第１装着部をより強固に固定でき、接続部の気密性をより高めると共に、ダクトの縦方向及び横方向のズレをより良好に吸収できる。
また、前記膨出部が、前記第１装着部の外周側に設けられ且つ前記第２装着部の外周側に設けられておらず、前記連絡本体部が、該膨出部と、連絡部と、を有する場合は、クランプ具によって、第２ダクトに対して第２装着部をより強固に固定でき、接続部の気密性をより高め得ると共に、第２ダクトにおける振動の発生を減少させることができる。
また、前記第１ダクトがエアクリーナの出口部であり、前記第２ダクトがスロットルのハウジング部である場合は、エアクリーナの出口部とスロットルのハウジング部とを良好な気密性をもって接続できると共に、それらの縦方向及び横方向のズレをより良好に吸収することができる。
本発明のダクト接続構造によれば、第１装着部が、第１ダクトの開口端部の外周面に装着されると共に、第２装着部が、第２ダクトの開口端部の外周面に装着され、第１ダクト及び第２ダクトが良好な気密性をもって接続される。そして、接続されたダクトの軸心方向の振動、即ちダクトの縦方向のズレは、主に膨出部の軸心方向への弾性変形によって吸収される。また、接続されたダクトの軸心方向と直交する方向の振動、即ちダクトの横方向のズレは、主に膨出部の軸心方向と直交する方向への弾性変形によって吸収される。従って、接続されたダクトの縦方向及び横方向のズレを必要十分に吸収することができる。
【手続補正４】
【補正対象書類名】明細書
【補正対象項目名】００２２
【補正方法】変更
【補正の内容】
【００２２】
上記「膨出部」は、上記第１装着部の外周側に設けられ且つ第１装着部の基端部から先端部に向って膨らんでいる限り、その形状、大きさ等は特に問わない。この膨出部の縦断面形状としては、より弾性変形し易いといった観点から、この膨出部の縦断面形状が逆Ｕ字状であることが好ましい。特に、この膨出部の縦断面形状が、ダクト接続部材内を通る空気の流動方向に対して逆Ｕ字状であることが好ましい。
なお、上記「逆Ｕ字状」とは、実質的に逆Ｕ字状であることを意味し、例えば、逆Ｖ字状、コ字状等も含むものとする。
【手続補正５】
【補正対象書類名】明細書
【補正対象項目名】００２３
【補正方法】変更
【補正の内容】
【００２３】
上記膨出部は、例えば、上記第１装着部の基端部に連なり且つその基端部から先端部に向って拡径して延びる内周壁と、この内周壁の遠心側の端部に連なり且つその端部から遠心方向に延びる頂上壁と、この頂上壁の遠心側の端部に連なり且つその端部から第１装着部の先端部から基端部に向って延びる外周壁と、を有することができる。
上記内周壁の縦断面形状としては、例えば、湾曲状、直線状、屈曲状等のうちの１種又は２種以上を組み合わせたもの等を挙げることができる。また、上記頂上壁の縦断面形状としては、例えば、湾曲状、直線状、屈曲状等のうちの１種又は２種以上を組み合わせたもの等を挙げることができる。また、上記外周壁の縦断面形状としては、例えば、湾曲状、直線状、屈曲状等のうちの１種又は２種以上を組み合わせたもの等を挙げることができる。より弾性変形し易いといった観点から、上記内周壁及び頂上壁の縦断面形状が湾曲状であることが好ましい。また、上記内周壁、頂上壁及び外周壁は、例えば、Ｒ部（フィレット部）で連結されていることが好ましい。
【手続補正６】
【補正対象書類名】明細書
【補正対象項目名】００２６
【補正方法】変更
【補正の内容】
【００２６】
ここで、上記（１）形態の場合、上記連絡本体部は、上記膨出部と、該膨出部の外周側の端部と上記第２装着部の基端部とを連絡する縦断面Ｌ字状の連絡部と、を有することができる。また、上記（２）形態の場合、上記連絡本体部は、上記膨出部と、該膨出部の外周側の端部と上記第１装着部の基端部とを連絡する縦断面Ｌ字状の連絡部と、を有することができる。さらに、上記（３）形態の場合、上記連絡本体部は、例えば、一対の上記膨出部と、該膨出部のそれぞれの外周側の端部を連絡する縦断面棒状の連絡部と、を有することができる。
なお、上記「Ｌ字状」とは、実質的にＬ字状であることを意味し、例えば、レ字状等も含むものとする。